(57)【要約】【課題】遊技機に近接し、遊技時の肘の支持に最適な位置での肘掛けが得られ、強度を有し、且つホール掃除時或いは未使用時に邪魔とならないように肘掛け部を折り畳むか或いは取り除くことのできる肘掛けを提供するものである。【解決手段】遊技機の前面に設けた遊技機用肘掛けにおいて、床からベース部材との固定により支柱を立ち上げ、該支柱の上端部の一方から上方向へ傾斜した斜材を設け、該斜材には肘掛け部を摺動自在とし、該肘掛け部を折り畳み或いは脱着自在に形成し、上端部の他方には遊技機側の被固定部材と固定する固定部を設けてなることを特徴とする遊技機用肘掛け。【選択図】図１
0003151754.tif 000002
【実用新案登録請求の範囲】
【請求項１】
遊技機の前面に設けた遊技機用肘掛けにおいて、床からベース部材との固定により支柱を立ち上げ、該支柱の上端部の一方から上方向へ傾斜した斜材を設け、該斜材には肘掛け部を摺動自在とし、該肘掛け部を折り畳み或いは脱着自在に形成し、上端部の他方には遊技機側の被固定部材と固定する固定部を設けてなることを特徴とする遊技機用肘掛け。
【請求項２】
斜材は、その左右側面に部材長に沿って長孔を形成し、該長孔に肘掛け部の斜材部材先端に設けた軸を架け渡し、該軸が該長孔の上端位置に達すると該肘掛け部を支柱側へ傾倒できることを特徴とする請求項１記載の遊技機用肘掛け。
【請求項３】
斜材部材は、ウェブと左右のフランジとよりなり、該ウェブ先端に切欠部を形成し、該切欠部の左右ウェブ間に軸を架け渡し、該切欠部により肘掛け部を支柱側へ傾倒できることを特徴とする請求項２記載の遊技機用肘掛け。
【請求項４】
斜材部材は、斜材の内側空間或いはその外周部に沿って摺動自在とし、該斜材上端において抜き外すことができることを特徴とする請求項１記載の遊技機用肘掛け。
【請求項５】
斜材は、その下端から垂直方向へ挿入斜材を突出して支柱に対して摺動自在に嵌合し、該支柱及び挿入斜材の各々に設けた適数個の貫通孔のいずれかを選択し、ピンの挿入係止により肘掛け部の高さを調整することを特徴とする請求項１記載の遊技機用肘掛け。
【請求項６】
ベース部材は、ベース盤及び該ベース盤から立設した挿入支柱からなり、該挿入支柱を支柱下端開放部より挿入することにより該支柱を固定してなることを特徴とする請求項１乃至５のいずれか記載の遊技機用肘掛け。
【請求項７】
支柱上端の固定部を該支柱に対して上下移動可能とし、支柱下端に筒状の雌ネジ部材を固定した該雌ネジ部材に、ベース部材の挿入支柱をボルトとしたネジを螺合し、該ボルトに螺合した上下動調整部材の回動により該支柱を上下移動してなることを特徴とする請求項１乃至５のいずれか記載の遊技機用肘掛け。
【請求項８】
肘掛け部は、斜材部材、水平部材及び該水平部材上の肘当て部とで形成し、該水平部材に上下方向の貫通孔を形成し、該肘当て部の下部に形成した雌ネジ部材と該貫通孔を貫通したボルトとを螺合させ、該ボルトの一方端に設けた回転体の回動により該肘当て部の高さを調整してなることを特徴とする請求項１乃至７のいずれか記載の遊技機用肘掛け。
【考案の詳細な説明】
【技術分野】
【０００１】
本考案は、パチンコ機、パチスロ機或いはその他各種ゲーム機等の遊技機を操作する遊技者のための遊技機用肘掛けに関する。
【背景技術】
【０００２】
従来より、パチンコ機、パチスロ機或いはその他各種ゲーム機等の遊技機の操作は椅子に座した状態で遊技に興じている。その際の操作は、特定の箇所を手で把持或いは指の動き等により肘を上げた状態で行われているのが一般的である。
【０００３】
当該遊技に興じている時間は長時間にわたることが多く、腕の疲労が伴うものであった。このため椅子を肘掛け椅子とし、その肘掛けを利用することが考えられているが、該椅子の肘掛け部は座している側部に設けられているため腕を遊技機側へ上げて操作を行うためには該椅子を遊技機側へ移動させるか、肘掛け部のみを遊技機側へ移動させるタイプの特殊な椅子としなければならなかった。
【０００４】
通常、遊技機で使用される椅子は固定式となっており、該椅子を移動させることが不可能なケースが多いこと或いは仮に移動が可能な場合であっても該椅子を遊技機側へ位置させると体が遊技機に接近しすぎてしまい視覚との関係で遊技がしずらくなる欠点があった。また、椅子は隣接する椅子と肘掛け部等が接するのを防止すること及び多数の椅子を使用することになるのでコンパクトで安価なものが要求されており、肘掛け部があるものやその肘掛け部が遊技機側へ突出する機能のあるものとなると一層敬遠されるし、且つ高価なものとなっていた。
【０００５】
他方、遊技機側から突出する肘掛けがあるが、該遊技機の枠等から突出することになるので遊技に邪魔になったり、肘からの荷重に耐える十分な支持部材を得ることができず強度的に弱いものであった。また、床から立ち上げた肘掛けも見受けられるが、支柱と肘掛け部とが固定されているので固定椅子の側前方へ突出したままの状態であり、ホールの掃除時或いは未使用時には邪魔となるものであった。
【先行技術文献】
【特許文献】
【０００６】
【特許文献１】実用新案登録第３０３３５０５号公報
【特許文献２】特開２００７−１４４１２０号公報
【特許文献３】特開２００７−２９４９６号公報
【考案の概要】
【考案が解決しようとする課題】
【０００７】
本考案は、上記欠点を解決したもので、遊技機に近接し、遊技時の肘の支持に最適な位置での肘掛けが得られ、強度を有し、且つホール掃除時或いは未使用時に邪魔とならないように肘掛け部を折り畳むか或いは取り除くことのできる肘掛けを提供するものである。
【課題を解決するための手段】
【０００８】
本考案は、遊技機の前面に設けた遊技機用肘掛けにおいて、床からベース部材との固定により支柱を立ち上げ、該支柱の上端部の一方から上方向へ傾斜した斜材を設け、該斜材には肘掛け部を摺動自在とし、該肘掛け部を折り畳み或いは脱着自在に形成し、上端部の他方には遊技機側の被固定部材と固定する固定部を設けてなる遊技機用肘掛けを特徴とする。
【０００９】
また、上記斜材は、その左右側面に部材長に沿って長孔を形成し、該長孔に肘掛け部の斜材部材先端に設けた軸を架け渡し、該軸が該長孔の上端位置に達すると該肘掛け部を支柱側へ傾倒できる遊技機用肘掛けを特徴とする。
【００１０】
更に、上記斜材部材は、ウェブと左右のフランジとよりなり、該ウェブ先端に切欠部を形成し、該切欠部の左右ウェブ間に軸を架け渡し、該切欠部により肘掛け部を支柱側へ傾倒できる遊技機用肘掛けを特徴とする。
【００１１】
また、上記斜材部材は、斜材の内側空間或いはその外周部に沿って摺動自在とし、該斜材上端において抜き外すことができる遊技機用肘掛けを特徴とする。
【００１２】
更に、上記斜材は、その下端から垂直方向へ挿入斜材を突出して支柱に対して摺動自在に嵌合し、該支柱及び挿入斜材の各々に設けた適数個の貫通孔のいずれかを選択し、ピンの挿入係止により肘掛け部の高さを調整する遊技機用肘掛けを特徴とする。
【００１３】
また、上記ベース部材は、ベース盤及び該ベース盤から立設した挿入支柱からなり、該挿入支柱を支柱下端開放部より挿入することにより該支柱を固定してなる遊技機用肘掛けを特徴とする。
【００１４】
更に、上記支柱上端の固定部を該支柱に対して上下移動可能とし、支柱下端に筒状の雌ネジ部材を固定した該雌ネジ部材に、ベース部材の挿入支柱をボルトとしたネジを螺合し、該ボルトに螺合した上下動調整部材の回動により該支柱を上下移動してなる遊技機用肘掛けを特徴とする。
【００１５】
また、上記肘掛け部は、斜材部材、水平部材及び該水平部材上の肘当て部とで形成し、該水平部材に上下方向の貫通孔を形成し、該肘当て部の下部に形成した雌ネジ部材と該貫通孔を貫通したボルトとを螺合させ、該ボルトの一方端に設けた回転体の回動により該肘当て部の高さを調整してなる遊技機用肘掛けを特徴とする。
【考案の効果】
【００１６】
本考案の遊技機用肘掛けは、遊技に興じる際に使用する肘を遊技機の前面での床から立ち上げた支柱による最適な位置で強固に支持することができ腕の疲労を和らげることを可能とした。
【００１７】
また、遊技機用肘掛けの前方へ突出している肘掛け部を折り畳み或いは取り外すことが簡単にできるので、未使用時や掃除時にそれらが邪魔になることを防止することを可能とした。
【００１８】
更に、肘掛け部の高さを、支柱の高さ調整、斜材部材の位置の調整或いは肘当て部の高さ調整のいずれか又はそれらの組み合わせにより適宜行うことを可能とし、個人差による肘の位置の相違に対応することを可能とした。
【図面の簡単な説明】
【００１９】
【図１】本考案の遊技機用肘掛けの全体を示す側面図。
【図２】（ａ）本考案の遊技機用肘掛けの一部拡大斜視図、（ｂ）本考案の遊技機用肘掛けの折り畳まれる状態を示す一部拡大斜視図。
【図３】（ａ）本考案の遊技機用肘掛けの支柱と斜材との関係を示す一部拡大斜視図、（ｂ）本考案の遊技機用肘掛けの支柱と斜材との関係を示す他の実施例の一部拡大斜視図。
【図４】本考案の遊技機用肘掛けの斜材と肘掛け部の斜材部材との関係を示す他の実施例の一部拡大斜視図。
【図５】（ａ）本考案の遊技機用肘掛けの支柱と斜材との関係を示す他の実施例の一部拡大斜視図、（ｂ）本考案の遊技機用肘掛けの支柱と斜材との関係を示す他の実施例の一部拡大斜視図。
【図６】（ａ）本考案の遊技機用肘掛けの固定部の他の実施例の正面図、（ｂ）本考案の遊技機用肘掛けの支柱とベース部材との関係を示す他の実施例の側断面図。
【図７】本考案の遊技機用肘掛けの肘掛け部の他の実施例の側断面図。
【考案を実施するための形態】
【００２０】
以下、図面に基づいて、本考案の実施例を説明する。
【実施例１】
【００２１】
図１は、本考案の遊技機用肘掛けの側面図、図２は、同一部拡大斜視図を示している。肘掛け１は、遊技機が設置され、その操作をするための腕が位置する側のホール床から立ち上げた支柱２、該支柱２の上端部に設けた前方上方向へ傾斜した斜材３、該斜材３に対して折り畳み自在に設けた肘掛け部４及び該支柱２上端の斜材３の反対側に設けられた遊技機やその枠、前板等と固定するための固定部５とより構成されている。
【００２２】
上記支柱２は、溝形鋼、リップ溝形鋼、ロ形鋼等の少なくとも１．６ｍｍ厚のある形鋼材で形成され、ホール床に固定されたベース部材６に固定される。該ベース部材６は、床にビス等により固定されるベース盤７、該ベース盤７から立設した挿入支柱８及び該ベース盤７を覆うカバー９等より構成されている。該支柱２は、該挿入支柱８へその下端開口部から挿入することにより所定位置に立設することができる。
【００２３】
上記斜材３は、該支柱２の上端部から該支柱２の垂直方向に対し１１０°乃至１４０°の範囲で遊技機の前方側となる斜め上方向に突出させたもので、該支柱２と同一材料で形成されている。該支柱２と固定されているが、該支柱２に嵌着自在に挿入することにより一体化したものでもよい。
【００２４】
固定にあっては、図３（ａ）に示すように、支柱２の上端部を斜めに切断し、斜材３の下端部側の斜め切断部と当接し、溶接固定により強固に一体とすることができる。他方、図３（ｂ）のように、支柱２をリップ溝形鋼或いはロ形鋼としておくことにより、斜材３の下端部から垂直方向へ延設した挿入斜材１０を設け、該挿入斜材１０を該支柱２の上端部から挿入することにより支柱２と斜材３とを一体化することが可能となる。
【００２５】
上記斜材３には、該斜材３の部材長に沿って肘掛け部４が摺動自在に嵌合されている。該肘掛け部４は、図１に示すように、斜材部材１１と肘当て部側となる水平部材１２とにより全体がくの字形に折曲形成され、該斜材部材１１が該斜材３に嵌合され、該肘掛け部４は斜め上下方向に摺動自在となるように形成されている。
【００２６】
該斜材３には、その左右側面に部材長に沿って長孔１３が形成され、肘掛け部４の斜材部材１１の先端部に設けた軸１４が左右の長孔１３に摺動自在となるように架け渡し挿入され、該斜材部材１１の摺動による軸１４の移動により水平部材１２の水平位置状態と折り畳み位置状態とに切り換えることが可能となるように形成している。
【００２７】
該斜材部材１１は、ウェブ１５と左右のフランジ１６、１７とよりなるコ字形部材とし、該斜材３に重なるようにして抱持する大きさとし、該斜材３を内側として該斜材３に沿って摺動自在とされ、該斜材部材１１のウェブ１５の先端部には切欠部１８を形成している。従って、左右のフランジ１６、１７の先端部は突出して突出端部１９、２０とされ、その左右の突出端部１９、２０間に軸１４が架け渡され、斜材３の左右の長孔１３に摺動自在に挿入されている。
【００２８】
上記切欠部１８の切欠深さは、該斜材部材１１を長孔１３に沿って斜め上方へ移動させたとき軸１４は長孔１３内を同様に移動し、該長孔１３の終端部において該斜材３の上端部から外れる寸法に形成している。
【００２９】
上記構成により、該肘掛け部４は通常の重合状態ではその自重により軸１４は支柱２側となる長孔１３の終端に位置しており、該斜材３と該肘掛け部４の斜材部材１１とが深く重なり合い、十分な強度を有した状態で該水平部材１５は水平を保持することになる。
【００３０】
他方、該肘掛け部４を支柱２から遠ざかる方向の斜め上方側へ移動させると、該斜材部材１１も斜め上方へ移動し、軸１４が長孔１３の終端部位置へ到達することになる。この状態になると、上記したように、ウェブ１５の端部に設けた切欠部１８により斜材３の上面部と該ウェブ１５との重合状態が外れ、軸１４を中心として、該肘掛け部４の重量により肘掛け部４は下方側へ倒れることになる。従って、支柱２から肘掛け部４を分離させることなく掃除等の邪魔とならない位置へ移動させることが可能となる。
【００３１】
該斜材３及び斜材部材１１には肘により垂直方向に荷重がかかることになるので、それらの部材を厚くしておくことでそれらに耐える十分な強度を得ることができる。該斜材３や斜材部材１１の内側に他の形鋼を溶接して厚くすることにより補強することも有効である。
【００３２】
該肘掛け部４の水平部材１２にはその表面側に弾力性のある状態で皮、合皮、合成樹脂或いは布等の適宜な材料で被覆された肘当て部２１が設けられることになる。
【００３３】
また、固定部５は、支柱２の上端部の遊技機側に固定されたＬ字形のチャンネル部材で、遊技機の前面に設けられた枠や前板等の被固定部材２２に固定されるものである。該チャンネル部材の一方側を支柱２に取着し、他方側をその下方側から該被固定部材２２と強固に固定するものである。該チャンネル部材を補強するためにその下方に他のチャンネル部材を当接した状態で設けることもできる。
【実施例２】
【００３４】
図４は、他の実施例の遊技機用肘掛けの一部拡大斜視図を示している。支柱２３から前方上方へ突出した斜材２４をリップ溝形鋼或いはロ形鋼としておくことにより、該斜材２４に対して、肘掛け部側の斜材部材２５を該斜材２４の内側に摺動自在に設けることを可能としたものである。嵌入装着時にはその自重により該斜材部材２５の先端が該斜材２４の内側端となる支柱２３上端に当接し、その状態で使用することになるが、必要に応じて該斜材部材２５を斜め上方に引き上げることにより該肘掛け部全体を斜材２４から抜き取ることが可能となる。
【００３５】
上記斜材に対し、斜材部材がその外周側を抱持した状態で摺動自在とすることにより抜き取り自在とすることも可能である。この場合は、該斜材から斜材部材が脱落しないように摺動溝を形成したり或いはリップ溝形鋼を使用する等の構成を採用することになる。
【実施例３】
【００３６】
図５は、前記した図３（ｂ）に示す支柱と同様の支柱２６の上端部に斜材２７の下端から垂直方向に突出した挿入斜材２８を設けたもので、該挿入斜材２８を摺動自在に嵌合した該支柱２６及び挿入斜材２８の各々の側壁面の同一位置に適数個の貫通孔２９及び３０を併設しておき、該貫通孔２９、３０のいずれかに外方からピン３１を挿入係止することにより、該斜材２７と連結した肘掛け部の肘当て部の床面からの高さを上下方向に移動することができ、高さ調整をすることができる。また、上記ピン３１を紐等により支柱２６と連結しておくことにより紛失を防止することができる。
【実施例４】
【００３７】
図６（ａ）、（ｂ）は、固定部及びベース部材の他の実施例で、該固定部３３は、図６（ａ）に示すように、該固定部３３の支柱３４への取り付け側フランジ３５の孔を長孔３６とし、該長孔３６へ遊技機側の被固定部材に固定されたピン３７を挿着し、該支柱３４が上下動した場合、該ピン３７が長孔３６内を摺動できるようにしている。該固定部３３を補強する側の固定部３８も同様の構造としている。他方、ベース部材３９は、図６（ｂ）に示すように、ベース盤４０、該ベース盤４０から立設した挿入支柱４１及び上下動調整部材４２よりなり、挿入支柱４１は、その周囲にネジを設けたボルトとし、該ボルトを支柱４３の下端に固定した筒状の雌ネジ部材４４の雌ネジと螺合させ、ボルトのベース盤４０側に螺合されている回転部材とした上下動調整部材４２を回動させることにより支柱４３を上下移動させることを可能としたものである。
【実施例５】
【００３８】
図７は、肘掛け部４５の水平部材４６に取り付けた肘当て部４７の高さ位置を調整できるようにしたものである。該水平部材４６及び該水平部材４６の下方側の部材となる補強板等の取付板４８の各々に上下方向の貫通孔４９、５０を形成し、該肘当て部４７の下部に筒状の雌ネジを設けた補強螺合体５１を設け、該貫通孔４９、５０に一方端に回転体５２を設けたボルト５３を貫通させ、先端を該補強螺合体５１に螺合させている。水平部材４６の下部より露出した該回転体５２を回動させることにより肘当て部４７の上下の高さ位置を調整することが可能となる。また、肘当て部４７にかかる荷重の偏向性を考慮し、肘当て部４７の下方両端部と水平部材４６との間に弾発部材５４を設けておくことができる。
【符号の説明】
【００３９】
１                          肘掛け
２、２３、２６、３４、４３  支柱
３、２４、２７              斜材
４、４５                    肘掛け部
５、３３、３８              固定部
６、３９                    ベース部材
７、４０                    ベース盤
８、４１                    挿入支柱
９                          カバー
１０、２８                    挿入斜材
１１、２５                    斜材部材
１２、４６                    水平部材
１３、３６                    長孔
１４                          軸
１５                          ウェブ
１６、１７、３５              フランジ
１８                          切欠部
１９、２０                    突出端部
２１、４７                    肘当て部
２２                          被固定部材
２９、３０、４９、５０        貫通孔
３１                          ピン
３７                          雌ネジ部材
４２                          調整部材
４８                          取付板
５１                          補強螺合体
５２                          回転体
５３                          ボルト
５４                          弾発部材
【図１】
0003151754.tif 000003
【図２】
0003151754.tif 000004
【図３】
0003151754.tif 000005
【図４】
0003151754.tif 000006
【図５】
0003151754.tif 000007
【図６】
0003151754.tif 000008
【図７】
0003151754.tif 000009